(57)【要約】      （修正有）【課題】エプロンの下端部に下方に突出する突出部材を設けた場合にも、突出部材の下方の洗い場床を掃除し易くした浴室ユニットを提供する。【解決手段】浴槽１２と、浴槽の隣接する洗い場床１４と、浴槽の側方に着脱可能に取り付けられ、浴槽の側方に取り付けられた状態において、洗い場床との間に隙間が生じるように洗い場床側に突出するエプロン２１と、エプロンの下端部に設けられ、エプロンの下端部よりも下方に突出する突出部を有する突出部材３０と、を備え、突出部材は、少なくとも一部を所定方向に移動可能とすることにより、突出部３２の下部の位置を所定方向に変更可能に構成されていることを特徴とする浴室ユニットである。【選択図】図２
2018161262.tif 000002
【特許請求の範囲】
【請求項１】
浴槽と、
前記浴槽の隣接する洗い場床と、
前記浴槽の側方に着脱可能に取り付けられ、前記浴槽の側方に取り付けられた状態において、前記洗い場床との間に隙間が生じるように前記洗い場床側に突出するエプロンと、
前記エプロンの下端部に設けられ、前記エプロンの下端部よりも下方に突出する突出部を有する突出部材と、
を備え、
前記突出部材は、少なくとも一部を所定方向に移動可能とすることにより、前記突出部の下部の位置を前記所定方向に変更可能に構成されていることを特徴とする浴室ユニット。
【請求項２】
前記所定方向は、水平方向であることを特徴とする請求項１記載の浴室ユニット。
【請求項３】
前記所定方向は、前記浴槽と前記洗い場床とが並ぶ前後方向及び上下方向と直交する左右方向であることを特徴とする請求項２記載の浴室ユニット。
【請求項４】
前記エプロンの下端部は、前記浴槽側に向かって延びる底面部を有し、
前記底面部は、前記左右方向に延び、下方に開口する開口部を有し、
前記突出部材は、前記突出部の上部に設けられ、前記開口部の縁部を上下から挟むように係合する係合溝を有し、前記係合溝を前記縁部に係合させることで、前記開口部に沿って前記左右方向に移動可能に前記エプロンの下端部に取り付けられることを特徴とする請求項３記載の浴室ユニット。
【請求項５】
前記底面部は、前記突出部材に加えられた前記左右方向の力が所定値未満の時に、前記突出部材の前記左右方向への移動を規制し、前記突出部材に加えられた前記左右方向の力が前記所定値以上の時に、前記突出部材の前記左右方向への移動を許容する規制部を有することを特徴とする請求項４記載の浴室ユニット。
【請求項６】
前記規制部は、前記開口部の前記前後方向の幅を局所的に狭くする絞り部であることを特徴とする請求項５記載の浴室ユニット。
【請求項７】
前記突出部材は、前記突出部の上に取り付けられる取付部をさらに有し、
前記係合溝は、前記突出部と前記取付部とによって形成され、
前記突出部材は、前記突出部と前記取付部とで前記開口部の縁部を上下に挟むことにより、前記開口部に沿って前記左右方向に移動可能に前記エプロンの下端部に取り付けられることを特徴とする請求項４〜６のいずれか１つに記載の浴室ユニット。
【請求項８】
前記取付部は、前記突出部の上部に設けられた被係合部と係合する係合部を有し、前記被係合部と前記係合部との係合により、前記突出部の上に取り付けられることを特徴とする請求項７記載の浴室ユニット。
【請求項９】
前記開口部は、前記エプロンの着脱の際に、手指を掛けるための手掛け部として機能することを特徴とする請求項４〜８のいずれか１つに記載の浴室ユニット。
【発明の詳細な説明】
【技術分野】
【０００１】
本発明の態様は、一般的に、浴室ユニットに関する。
【背景技術】
【０００２】
図１３に表したように、浴室に設置して使用される浴室ユニットＵＢにおいて、洗い場床ＷＰとの間に隙間ができるよう浴槽のエプロンＡＰを洗い場床ＷＰ側に出っ張らせることが知られている（例えば、特許文献１）。エプロンＡＰは、浴槽の側面に着脱可能に取り付けられる。この際、出っ張らせたエプロンＡＰの下端部に、手指を掛け易くした手掛け部を設けることで、エプロンＡＰの着脱を行い易くすることができる。
【０００３】
上記のような構成において、エプロンＡＰの下端部に、下方に突出する突出部材ＰＭを設けることが行われている。エプロンＡＰを取り外した際に、エプロンＡＰの重さが一気に使用者にかかり、使用者がエプロンＡＰを洗い場床ＷＰに落としてしまう場合がある。突出部材ＰＭは、このようにエプロンＡＰを落としてしまった場合に、エプロンＡＰの下端部と洗い場床ＷＰとの間に隙間を作り、使用者がエプロンＡＰの下端部と洗い場床ＷＰとの間に手指を挟んでしまうことを抑制する。
【０００４】
しかしながら、エプロンＡＰの下端部に突出部材ＰＭを設けると、エプロンＡＰを浴槽に取り付けた状態において、突出部材ＰＭの下端と洗い場床ＷＰとの間の隙間が非常に狭くなってしまい、突出部材ＰＭの下方の洗い場床ＷＰなどを掃除し難くなってしまう。
【先行技術文献】
【特許文献】
【０００５】
【特許文献１】特開２００９−３０３２５号公報
【発明の概要】
【発明が解決しようとする課題】
【０００６】
本発明は、かかる課題の認識に基づいてなされたものであり、エプロンの下端部に下方に突出する突出部材を設けた場合にも、突出部材の下方の洗い場床を掃除し易くした浴室ユニットを提供することを目的とする。
【課題を解決するための手段】
【０００７】
第１の発明は、浴槽と、前記浴槽の隣接する洗い場床と、前記浴槽の側方に着脱可能に取り付けられ、前記浴槽の側方に取り付けられた状態において、前記洗い場床との間に隙間が生じるように前記洗い場床側に突出するエプロンと、前記エプロンの下端部に設けられ、前記エプロンの下端部よりも下方に突出する突出部を有する突出部材と、を備え、前記突出部材は、少なくとも一部を所定方向に移動可能とすることにより、前記突出部の下部の位置を前記所定方向に変更可能に構成されていることを特徴とする浴室ユニットである。
【０００８】
この浴室ユニットによれば、洗い場床をスポンジなどで掃除する際に、突出部材の突出部の下部の位置を変更することにより、変更前の突出部の下部の下方にあった洗い場床を掃除し易くすることができる。従って、エプロンの下端部に下方に突出する突出部材を設けた場合にも、突出部材の下方の洗い場床を掃除し易くすることができる。ここで、突出部材の少なくとも一部の移動は、スライドによる移動でもよいし、回転による移動でもよい。
【０００９】
第２の発明は、第１の発明において、前記所定方向は、水平方向であることを特徴とする浴室ユニットである。
【００１０】
この浴室ユニットによれば、突出部の下部の高さが大きく変化することがないため、突出部の下部の位置を変更可能とした場合にも、エプロンの落下時に、エプロンと洗い場床との間に手指を挟んでしまうことを、突出部材によって、より確実に抑制することができる。なお、突出部の少なくとも一部は、水平方向に移動しつつ、僅かに上下方向（垂直方向）に移動してもよい。すなわち、突出部の少なくとも一部の移動する方向の主成分が、水平方向であればよい。
【００１１】
第３の発明は、第２の発明において、前記所定方向は、前記浴槽と前記洗い場床とが並ぶ前後方向及び上下方向と直交する左右方向であることを特徴とする浴室ユニットである。
【００１２】
エプロンの洗い場床側への突出量を大きくすると、洗い場床のスペースを圧迫してしまい、浴室ユニットの使い勝手が悪くなってしまう可能性がある。このため、エプロンの突出量は、なるべく抑えることが好ましい。第３の発明に係る浴室ユニットによれば、突出部の少なくとも一部を左右方向に移動可能とすることにより、エプロンの洗い場床側への突出量を抑えることができ、浴室ユニットの使い勝手を悪化させることなく、洗い場床の清掃性を高めることができる。
【００１３】
第４の発明は、第３の発明において、前記エプロンの下端部は、前記浴槽側に向かって延びる底面部を有し、前記底面部は、前記左右方向に延び、下方に開口する開口部を有し、前記突出部材は、前記突出部の上部に設けられ、前記開口部の縁部を上下から挟むように係合する係合溝を有し、前記係合溝を前記縁部に係合させることで、前記開口部に沿って前記左右方向に移動可能に前記エプロンの下端部に取り付けられることを特徴とする浴室ユニットである。
【００１４】
この浴室ユニットによれば、簡単な構造で、突出部材を左右方向に移動可能に取り付けることができる。また、移動方向を左右方向とすることにより、開口部を比較的長めにすることができるため、突出部材をより大きく移動させることができ、より清掃性を高めることができる。
【００１５】
第５の発明は、第４の発明において、前記底面部は、前記突出部材に加えられた前記左右方向の力が所定値未満の時に、前記突出部材の前記左右方向への移動を規制し、前記突出部材に加えられた前記左右方向の力が前記所定値以上の時に、前記突出部材の前記左右方向への移動を許容する規制部を有することを特徴とする浴室ユニットである。
【００１６】
この浴室ユニットによれば、所定値以上の力を加えないと突出部材が移動しないため、突出部材が不意に動いてしまうことを抑制することができる。例えば、突出部材の不意の移動にともなって、開口部の縁部と突出部材との間に手指を挟んでしまうことなどを抑制することができる。
【００１７】
第６の発明は、第５の発明において、前記規制部は、前記開口部の前記前後方向の幅を局所的に狭くする絞り部であることを特徴とする浴室ユニットである。
【００１８】
この浴室ユニットによれば、簡単な構造で突出部材の不意の移動を抑制することができる。
【００１９】
第７の発明は、第４〜第６のいずれか１つの発明において、前記突出部材は、前記突出部の上に取り付けられる取付部をさらに有し、前記係合溝は、前記突出部と前記取付部とによって形成され、前記突出部材は、前記突出部と前記取付部とで前記開口部の縁部を上下に挟むことにより、前記開口部に沿って前記左右方向に移動可能に前記エプロンの下端部に取り付けられることを特徴とする浴室ユニットである。
【００２０】
この浴室ユニットによれば、突出部と取付部とで開口部の縁部を上下に挟むことで、突出部材をエプロンの下端部に取り付けることができ、突出部材の取り付けの作業性を向上させることができる。
【００２１】
第８の発明は、第７の発明において、前記取付部は、前記突出部の上部に設けられた被係合部と係合する係合部を有し、前記被係合部と前記係合部との係合により、前記突出部の上に取り付けられることを特徴とする浴室ユニットである。
【００２２】
この浴室ユニットによれば、被係合部と係合部とを係合させるだけで取付部を突出部に取り付けることができ、突出部材の取り付けの作業性をより向上させることができる。また、螺合で取り付けた場合などと比べて、取り付け後に緩んでしまうことなどを抑制することができ、エプロンの落下時に、エプロンと洗い場床との間に手指を挟んでしまうことを、長期に亘って、より確実に抑制することができる。
【００２３】
第９の発明は、第４〜第８のいずれか１つの発明において、前記開口部は、前記エプロンの着脱の際に、手指を掛けるための手掛け部として機能することを特徴とする浴室ユニットである。
【００２４】
この浴室ユニットによれば、開口部と別に手掛け部などを設ける必要がないため、エプロンの構造をより簡素化することができる。例えば、エプロンの製造コストを抑えることができる。
【発明の効果】
【００２５】
本発明の態様によれば、エプロンの下端部に下方に突出する突出部材を設けた場合にも、突出部材の下方の洗い場床を掃除し易くした浴室ユニットが提供される。
【図面の簡単な説明】
【００２６】
【図１】実施形態に係る浴室ユニットを模式的に表す斜視図である。
【図２】実施形態に係る浴室ユニットの浴槽を模式的に表す正面図である。
【図３】実施形態に係る浴室ユニットを模式的に表す断面図である。
【図４】実施形態に係る浴室ユニットの第１エプロンを模式的に表す斜視図である。
【図５】実施形態に係る浴室ユニットの第１エプロンの一部を模式的に表す断面図である。
【図６】図６（ａ）及び図６（ｂ）は、実施形態に係る浴室ユニットの突出部材を模式的に表す斜視図である。
【図７】実施形態に係る浴室ユニットの突出部材を模式的に表す断面図である。
【図８】図８（ａ）及び図８（ｂ）は、実施形態に係る浴室ユニットの第１エプロンの一部を模式的に表す断面図である。
【図９】図９（ａ）及び図９（ｂ）は、実施形態に係る浴室ユニットの第１エプロンの変形例を模式的に表す断面図である。
【図１０】図１０（ａ）〜図１０（ｃ）は、実施形態に係る浴室ユニットの第１エプロンの変形例を模式的に表す部分斜視図である。
【図１１】図１１（ａ）及び図１１（ｂ）は、実施形態に係る浴室ユニットの第１エプロンの変形例を模式的に表す断面図である。
【図１２】実施形態に係る浴室ユニットの第１エプロンの変形例を模式的に表す断面図である。
【図１３】参考の浴室ユニットを模式的に表す説明図である。
【発明を実施するための形態】
【００２７】
以下、実施形態について図面を参照しつつ説明する。なお、各図面中、同様の構成要素には同一の符号を付して詳細な説明は適宜省略する。  
図１は、実施形態に係る浴室ユニットを模式的に表す斜視図である。  
図１に表したように、浴室ユニット１０は、浴槽１２と、洗い場床１４と、第１エプロン２１（エプロン）と、第２エプロン２２と、を備える。洗い場床１４は、浴槽１２に隣接して設けられる。浴室ユニット１０は、例えば、浴槽１２、洗い場床１４、及び周囲の壁面パネルなどをユニット化した、いわゆるユニットバスやシステムバスである。
【００２８】
以下、本願明細書では、浴槽１２から洗い場床１４に向かう方向を「前方」とし、これと反対の方向を「後方」とする。すなわち、洗い場床１４は、浴槽１２の前方に隣接する。また、本願明細書では、前方を向いた状態の右側及び左側をそれぞれ「右側方」、「左側方」とする。本願明細書において、左右方向は、浴槽１２と洗い場床１４とが並ぶ前後方向及び上下方向と直交する方向である。
【００２９】
図２は、実施形態に係る浴室ユニットの浴槽を模式的に表す正面図である。  
図３は、実施形態に係る浴室ユニットを模式的に表す断面図である。  
図３は、図２のＡ１−Ａ２線断面を模式的に表す。  
図１〜図３に表したように、第１エプロン２１は、浴槽１２の側方に着脱可能に取り付けられる。第１エプロン２１は、浴槽１２の側方に取り付けられた状態において、洗い場床１４との間に隙間が生じるように洗い場床１４側に突出する。換言すれば、第１エプロン２１は、前方に突出する。
【００３０】
第２エプロン２２は、第１エプロン２１と同様に、浴槽１２の側方に着脱可能に取り付けられる。第２エプロン２２は、第１エプロン２１と左右方向に並べて、浴槽１２の側方に着脱可能に取り付けられる。第２エプロン２２は、浴槽１２の側方に取り付けられた状態において、洗い場床１４との間に隙間が生じるように洗い場床１４側に突出する。
【００３１】
第１エプロン２１及び第２エプロン２２は、上下方向及び左右方向に延びる板状である。換言すれば、第１エプロン２１及び第２エプロン２２は、浴槽１２の側面１２ｓと略平行な略矩形の板状である。浴槽１２の側面１２ｓには、例えば、点検口などが設けられる。第１エプロン２１及び第２エプロン２２は、例えば、浴槽１２の側面１２ｓ（点検口など）を覆うことにより、浴槽１２のメンテナンス性を保ちつつ、浴槽１２の美観を向上させる。第１エプロン２１及び第２エプロン２２は、凸状又は凹状に湾曲した板状などでもよい。
【００３２】
第１エプロン２１の左右方向の長さは、第２エプロン２２の左右方向の長さよりも長い。例えば、浴槽１２の側方に１つのエプロンを取り付ける構成では、カウンターが浴室の壁面に取り付けられている場合などに、カウンターが邪魔になり、エプロンが着脱し難くなってしまう可能性がある。このような場合には、この例で表しているように、浴槽１２に対して第１エプロン２１及び第２エプロン２２を取り付けることが好ましい。例えば、カウンターが設けられている壁面側に左右方向の長さが短い第２エプロン２２を配置する。これにより、第１エプロン２１を取り外した後に、第２エプロン２２を取り外すことで、カウンターなどが邪魔になる浴室においても第１エプロン２１及び第２エプロン２２を適切に着脱することができる。また、例えば、第１エプロン２１の着脱のみでメンテナンスを行うこともでき、浴室ユニット１０の利便性をより向上させることができる。なお、浴槽１２の側方に取り付けられるエプロンの数は、２つに限ることなく、１つでもよいし、３つ以上でもよい。
【００３３】
浴室ユニット１０は、突出部材３０をさらに備える。突出部材３０は、第１エプロン２１の下端部２１ａに設けられている。突出部材３０は、第１エプロン２１の下端部２１ａよりも下方に突出する突出部３２を有する。この例において、浴室ユニット１０は、第１エプロン２１の下端部２１ａの左右方向の両端付近に配置された２つの突出部材３０を有する。
【００３４】
各突出部材３０は、第１エプロン２１を取り外した際に、第１エプロン２１の重さが一気に使用者にかかり、使用者が第１エプロン２１を洗い場床１４に落としてしまった場合に、第１エプロン２１の下端部２１ａと洗い場床１４との間に隙間を作ることにより、使用者が第１エプロン２１の下端部２１ａと洗い場床１４との間に手指を挟んでしまうことを抑制する。
【００３５】
第１エプロン２１に設けられる突出部材３０の数は、２つに限ることなく、１つでもよいし、３つ以上でもよい。また、この例では、第１エプロン２１のみに突出部材３０を設けている。左右方向の長さが短く、第１エプロン２１と比べて比較的重量の軽い第２エプロン２２には、必ずしも手指の挟み込みを抑制するための突出部材３０を設けなくてもよい。これに限ることなく、第１エプロン２１及び第２エプロン２２の双方に突出部材３０を設けてもよい。第２エプロン２２の構成は、左右方向の長さや突出部材３０の有無などを除いて、第１エプロン２１の構成と実質的に同じであるから、以下では、第１エプロン２１についてのみ説明を行う。
【００３６】
図４は、実施形態に係る浴室ユニットの第１エプロンを模式的に表す斜視図である。  
図３及び図４に表したように、第１エプロン２１の下端部２１ａは、浴槽１２の側方に取り付けられた状態において、浴槽１２側に向かって延びる底面部４０を有する。底面部４０は、例えば、前後方向及び左右方向に延びる平板状である。各突出部材３０は、底面部４０に設けられる。
【００３７】
また、第１エプロン２１は、係合部４２と、突起部４４と、を有する。係合部４２は、第１エプロン２１の上部に設けられる。突起部４４は、例えば、第１エプロン２１の下端部２１ａ付近において、底面部４０の僅かに上方に設けられる。突起部４４は、底面部４０の上方から後方に向かって突出する。突起部４４は、係合爪４４ａを有する。係合爪４４ａは、突起部４４の先端（後端）に後方側を向いて設けられている。この例において、第１エプロン２１は、左右方向に並ぶ２つの突起部４４を有する。突起部４４の数は、１つでもよいし、３つ以上でもよい。
【００３８】
浴槽１２は、垂下部１２ａと、支持板部１２ｂと、を有する。垂下部１２ａは、浴槽１２の上部（リム面）の前端から下方に向かって延びる。垂下部１２ａは、第１エプロン２１の係合部４２と係合する。
【００３９】
支持板部１２ｂは、側面１２ｓの下部から前方に向かって延びる。支持板部１２ｂは、例えば、前後方向及び左右方向に延びる平板状である。支持板部１２ｂには、支持部材１２ｃが設けられている。支持部材１２ｃは、第１エプロン２１の突起部４４に対応して設けられる。すなわち、この例では、２つの突起部４４のそれぞれに対応する２つの支持部材１２ｃが、支持板部１２ｂに設けられている。各支持部材１２ｃは、各突起部４４の係合爪４４ａと係合することにより、各突起部４４を支持する。各支持部材１２ｃは、例えば、係合爪４４ａを上下に挟むクリップ状である。これにより、各支持部材１２ｃは、所定以上の力を加えないと、係合爪４４ａとの係合状態が外れないようにする。
【００４０】
第１エプロン２１を浴槽１２の側面１２ｓに取り付ける場合には、まず、第１エプロン２１の係合部４２を垂下部１２ａの後方側に挿し込み、係合部４２を垂下部１２ａと係合させる。この後、係合部４２の付近を軸に第１エプロン２１を回転させながら、各突起部４４の係合爪４４ａを各支持部材１２ｃに挿し込むことにより、各突起部４４を各支持部材１２ｃと係合させる。
【００４１】
このように、第１エプロン２１の上部を垂下部１２ａに係合させ、第１エプロン２１の下部を各支持部材１２ｃに支持させることにより、第１エプロン２１が、浴槽１２の側面１２ｓに着脱可能に取り付けられる。第１エプロン２１の取付方法は、上記に限ることなく、浴槽１２の側面１２ｓに着脱可能に取り付け可能な任意の方法でよい。
【００４２】
図５は、実施形態に係る浴室ユニットの第１エプロンの一部を模式的に表す断面図である。  
図６（ａ）及び図６（ｂ）は、実施形態に係る浴室ユニットの突出部材を模式的に表す斜視図である。  
図７は、実施形態に係る浴室ユニットの突出部材を模式的に表す断面図である。  
図８（ａ）及び図８（ｂ）は、実施形態に係る浴室ユニットの第１エプロンの一部を模式的に表す断面図である。  
図５は、図４のＢ１−Ｂ２線断面を模式的に表す。図７は、図５のＣ１−Ｃ２線断面を模式的に表す。図８（ａ）及び図８（ｂ）は、図５と実質的に同じ断面形状を模式的に表す。
【００４３】
図５〜図８に表したように、第１エプロン２１の底面部４０は、開口部４６を有する。開口部４６は、左右方向に延び、下方に開口する。この例において、開口部４６は、板状の底面部４０を上下方向に貫通する貫通孔状である。開口部４６は、貫通孔状に限ることなく、下方にのみ開口する穴状でもよい。開口部４６は、突出部材３０に対応して設けられる。従って、この例において、底面部４０は、２つの突出部材３０のそれぞれに対応する２つの開口部４６を有する。
【００４４】
各開口部４６は、第１エプロン２１の着脱の際に、手指を掛けるための手掛け部としても機能する。例えば、第１エプロン２１を浴槽１２から取り外す場合には、各開口部４６に手指を掛けて第１エプロン２１の下端部２１ａを手前に引き、各突起部４４の係合爪４４ａと各支持部材１２ｃとの係合状態を解除する。これにより、第１エプロン２１をより着脱し易くすることができる。
【００４５】
突出部材３０は、突出部３２の上に取り付けられる取付部３４を、さらに有する。取付部３４は、突出部３２の上部に設けられた被係合部３２ａと係合する係合部３４ａを有する。取付部３４は、被係合部３２ａと係合部３４ａとの係合により、突出部３２の上に取り付けられる。すなわち、取付部３４は、いわゆるスナップフィット方式によって、突出部３２の上に取り付けられる。取付部３４の取付方法は、上記に限ることなく、任意の方法でよい。取付部３４は、例えば、突出部３２と取付部３４との一方に雌ネジを設け、他方に雄ネジを設けることにより、ねじ込み方式によって突出部３２の上に取り付けてもよい。
【００４６】
突出部材３０は、突出部３２と取付部３４とによって係合溝３６を形成する。係合溝３６は、突出部３２の上部に設けられ、開口部４６の縁部４６ａを上下から挟むように係合する。突出部材３０は、係合溝３６を開口部４６の縁部４６ａに係合させることで、開口部４６に沿って左右方向に移動可能に第１エプロン２１の下端部２１ａに取り付けられる。すなわち、突出部材３０は、突出部３２と取付部３４とで開口部４６の縁部４６ａを上下に挟むことにより、開口部４６に沿って左右方向に移動可能に第１エプロン２１の下端部２１ａに取り付けられる。
【００４７】
このように、突出部材３０は、開口部４６に沿って左右方向に移動する。より詳しくは、突出部材３０は、図８（ａ）に表す第１位置と、図８（ｂ）に表す第２位置と、の間で左右方向に移動する。第１位置は、開口部４６の一端側の位置である。第２位置は、開口部４６の他端側の位置である。これにより、突出部材３０は、突出部３２の下部３２ｂの位置を左右方向に変更可能としている。
【００４８】
底面部４０は、絞り部４８を有する。絞り部４８は、開口部４６の前後方向の幅を局所的に狭くする。絞り部４８は、各開口部４６のそれぞれに設けられる。この例では、絞り部４８が、底面部４０と一体に設けられている。絞り部４８は、例えば、底面部４０に対し、接着やネジ止めなどで取り付けられる別部材としてもよい。
【００４９】
また、この例において、絞り部４８は、開口部４６の前端側及び後端側の双方から開口部４６の前後方向の中心に向かって突出することにより、開口部４６の前後方向の幅を局所的に狭くしている。これに限ることなく、絞り部４８は、開口部４６の前端側及び後端側の一方のみから開口部４６の前後方向の中心に向かって突出することにより、開口部４６の前後方向の幅を局所的に狭くしてもよい。
【００５０】
突出部材３０の係合溝３６の部分の前後方向の幅Ｗ１は、開口部４６の絞り部４８以外の部分の前後方向の幅Ｗ２と同じか僅かに小さい程度である。一方、突出部材３０の係合溝３６の部分の前後方向の幅Ｗ１は、開口部４６の絞り部４８の部分の前後方向の幅Ｗ３よりも大きい。これにより、絞り部４８は、突出部材３０に加えられた左右方向の力が所定値未満の時に、突出部材３０の左右方向の移動を規制し、突出部材３０に加えられた左右方向の力が所定値以上の時に、突出部材３０の左右方向への移動を許容する規制部として機能する。
【００５１】
上記のように、突出部材３０の幅Ｗ１は、絞り部４８の幅Ｗ３よりも大きい。このため、突出部材３０に加えられた左右方向の力が所定値未満の時には、突出部材３０が絞り部４８に引っ掛かり、突出部材３０の移動が規制される。そして、突出部材３０に加えられた左右方向の力が所定値以上の時には、突出部材３０及び底面部４０の少なくとも一方が弾性変形し、絞り部４８の部分の幅が広がるか、あるいは突出部材３０の幅が狭くなることにより、突出部材３０の絞り部４８の部分の通過が許容される。絞り部４８は、換言すれば、突出部材３０に加えられた左右方向の力が所定値未満の時に、突出部材３０の通過を規制し、突出部材３０に加えられた左右方向の力が所定値以上の時に、突出部材３０の通過を許容する。
【００５２】
幅Ｗ１、Ｗ３は、上記のような突出部材３０の移動の規制及び許容を実現可能な任意の値に設定される。突出部材３０及び底面部４０（第１エプロン２１）の少なくとも一方には、例えば、樹脂などの弾性材料が用いられる。これにより、突出部材３０が絞り部４８の部分を通過する際に、突出部材３０及び底面部４０の少なくとも一方を弾性変形させ易くすることができる。また、幅Ｗ２は、例えば、１０ｍｍ以上３０ｍｍ以下であることが好ましい。これにより、例えば、第１エプロン２１の着脱の際に、各開口部４６に手指を掛け易くすることができるとともに、底面部４０の前後方向の長さが長くなり過ぎてしまうことを抑制することができる。
【００５３】
絞り部４８は、例えば、第１位置側に寄せて配置される。絞り部４８は、例えば、開口部４６の縁部４６ａとともに、突出部材３０の第１位置からの移動を規制する。すなわち、絞り部４８は、所定値以上の力が加わらない限り、突出部材３０が第１位置から移動しないようにする。そして、絞り部４８は、所定値以上の力が加わった場合に、突出部材３０の第２位置への移動を許容する。
【００５４】
絞り部４８と第２位置との間においては、突出部材３０を左右方向に自由に移動させることができる。突出部材３０を第２位置から第１位置に移動させる場合には、絞り部４８の部分で再び所定値以上の力を突出部材３０に加え、絞り部４８の部分を通過させることにより、突出部材３０が第２位置から第１位置に移動する。
【００５５】
以上、説明したように、本実施形態に係る浴室ユニット１０によれば、洗い場床１４をスポンジなどで掃除する際に、突出部材３０の突出部３２の下部３２ｂの位置を左右方向に変更することにより、変更前の突出部３２の下部３２ｂの下方にあった洗い場床１４を掃除し易くすることができる。従って、第１エプロン２１の下端部２１ａに下方に突出する突出部材３０を設け、手指の挟み込みを抑制する場合にも、突出部材３０の下方の洗い場床１４を掃除し易くすることができる。
【００５６】
浴室ユニット１０では、２つの突出部材３０のそれぞれを左右方向に移動可能としている。これに限ることなく、第１エプロン２１が複数の突出部材３０を有する場合、移動可能に構成する突出部材３０は、複数の突出部材３０のうちの少なくとも１つでよい。例えば、図２に表したように、洗い場床１４は、排水勾配を有しており、左右方向の中央の方が、左右方向の両端よりも低くなっている場合が多い。この場合、２つの突出部材３０のうち、壁面側に寄せて配置された一方の突出部材３０の下部３２ｂと洗い場床１４との間の上下方向の距離Ｌ１が、第２エプロン２２側に寄せて配置された他方の突出部材３０の下部３２ｂと洗い場床１４との間の上下方向の距離Ｌ２よりも短くなる。そして、このような場合、洗い場床１４との距離Ｌ１が短い壁面側の突出部材３０の方が、突出部３２の下方の洗い場床１４を掃除し難い。従って、このような場合には、壁面側の突出部材３０のみを移動可能とし、第２エプロン２２側の突出部材３０は、第１エプロン２１の下端部２１ａに固定された構成としてもよい。
【００５７】
また浴室ユニット１０では、突出部材３０の移動方向が、水平な左右方向である。これにより、突出部３２の下部３２ｂの高さが大きく変化することがないため、突出部３２の下部３２ｂの位置を変更可能とした場合にも、第１エプロン２１の落下時に、第１エプロン２１と洗い場床１４との間に手指を挟んでしまうことを、突出部材３０によって、より確実に抑制することができる。
【００５８】
また、第１エプロン２１及び第２エプロン２２の洗い場床１４側への突出量を大きくすると、洗い場床１４のスペースを圧迫してしまい、浴室ユニット１０の使い勝手が悪くなってしまう可能性がある。このため、第１エプロン２１及び第２エプロン２２の突出量は、なるべく抑えることが好ましい。浴室ユニット１０では、突出部材３０を左右方向に移動可能とすることにより、第１エプロン２１及び第２エプロン２２の洗い場床１４側への突出量を抑えることができる。従って、浴室ユニット１０の使い勝手を悪化させることなく、洗い場床１４の清掃性を高めることができる。
【００５９】
また、浴室ユニット１０では、突出部材３０が、係合溝３６を開口部４６の縁部４６ａに係合させることで、開口部４６に沿って左右方向に移動可能に第１エプロン２１の下端部２１ａに取り付けられる。これにより、簡単な構造で、突出部材３０を左右方向に移動可能に取り付けることができる。また、移動方向を左右方向とすることにより、開口部４６を比較的長めにすることができるため、突出部材３０をより大きく移動させることができ、より清掃性を高めることができる。
【００６０】
また、浴室ユニット１０では、絞り部４８が、突出部材３０に加えられた左右方向の力が所定値未満の時に、突出部材３０の左右方向への移動を規制し、突出部材３０に加えられた左右方向の力が所定値以上の時に、突出部材３０の左右方向への移動を許容する。これにより、所定値以上の力を加えないと突出部材３０が移動しないため、突出部材３０が不意に動いてしまうことを抑制することができる。例えば、突出部材３０の不意の移動にともなって、開口部４６の縁部４６ａと突出部材３０との間に手指を挟んでしまうことなどを抑制することができる。また、絞り部４８で突出部材３０の左右方向への移動を規制可能とすることにより、簡単な構造で突出部材３０の不意の移動を抑制することができる。
【００６１】
また、浴室ユニット１０では、突出部３２と取付部３４とで開口部４６の縁部４６ａを上下に挟むことで、突出部材３０を第１エプロン２１の下端部２１ａに取り付けることができ、突出部材３０の取り付けの作業性を向上させることができる。
【００６２】
また、浴室ユニット１０では、被係合部３２ａと係合部３４ａとを係合させるだけで取付部３４を突出部３２に取り付けることができ、突出部材３０の取り付けの作業性をより向上させることができる。また、螺合で取り付けた場合などと比べて、取り付け後に緩んでしまうことなどを抑制することができ、第１エプロン２１の落下時に、第１エプロン２１と洗い場床１４との間に手指を挟んでしまうことを、長期に亘って、より確実に抑制することができる。
【００６３】
また、浴室ユニット１０では、各開口部４６が、第１エプロン２１の着脱の際に、手指を掛けるための手掛け部としても機能することにより、各開口部４６と別に手掛け部などを設ける必要がないため、第１エプロン２１の構造をより簡素化することができる。例えば、第１エプロン２１の製造コストを抑えることができる。
【００６４】
図９（ａ）及び図９（ｂ）は、実施形態に係る浴室ユニットの第１エプロンの変形例を模式的に表す断面図である。  
図９（ａ）及び図９（ｂ）は、図８（ａ）及び図８（ｂ）に表した部分と同じ部分を模式的に表している。なお、上記実施形態と機能・構成上実質的に同じものについては、同符号を付し、詳細な説明を省略する。
【００６５】
図９（ａ）に表したように、底面部４０は、複数の絞り部４８（規制部）を有してもよい。この例では、底面部４０が、２つの絞り部４８を有している。一方の絞り部４８は、開口部４６の一端側の縁部４６ａとともに、突出部材３０の第１位置からの移動を規制する。他方の絞り部４８は、開口部４６の他端側の縁部４６ａとともに、突出部材３０の第２位置からの移動を規制する。
【００６６】
絞り部４８の数は、２つに限ることなく、３つ以上でもよい。例えば、一対の絞り部４８で突出部材３０の係合溝３６を挟むことにより、突出部材３０を第１位置と第２位置との間の任意の位置に保持できるようにしてもよい。また、図９（ｂ）に表したように、底面部４０は、必ずしも絞り部４８を有しなくてもよい。
【００６７】
上記実施形態では、絞り部４８を規制部として示しているが、規制部は、これに限ることなく、突出部材３０に加えられた左右方向の力が所定値未満の時に、突出部材３０の左右方向への移動を規制し、突出部材３０に加えられた左右方向の力が所定値以上の時に、突出部材３０の左右方向への移動を許容可能な任意の構成でよい。規制部は、例えば、バネなどを用い、バネ力未満の力の場合には、移動を規制し、バネ力以上の力が加わった場合に、移動を許容する構成などでもよい。また、規制部は、例えば、突出部材３０の左右方向の位置を第１位置と第２位置との間において連続的又は段階的に複数の位置に規制可能な構成でもよい。規制部は、突出部材３０に対して左右方向に所定以上の力を加えない限り、突出部材３０が左右方向の所定の位置に留まるように規制可能な任意の構成でよい。
【００６８】
図１０（ａ）〜図１０（ｃ）は、実施形態に係る浴室ユニットの第１エプロンの変形例を模式的に表す部分斜視図である。  
図１０（ａ）〜図１０（ｃ）に表したように、突出部材３０において、係合溝３６は、突出部３２の上部に一体的に設けてもよい。すなわち、上記実施形態では、突出部材３０を突出部３２と取付部３４との２つの部材で構成しているが、突出部材３０は１つの部材で構成してもよい。
【００６９】
また、図１０（ａ）〜図１０（ｃ）に表したように、突出部材３０を１つの部材で構成した場合には、例えば、開口部４６の左右方向の一端を第１エプロン２１の側方まで延ばす。換言すれば、開口部４６の左右方向の一端を開放させる。突出部材３０の取り付けにおいては、図１０（ｂ）に表したように、開口部４６の左右方向の開放された一端から突出部材３０を開口部４６内に挿通し、係合溝３６を開口部４６の縁部４６ａと係合させる。この後、図１０（ｃ）に表したように、開口部４６の左右方向の開放された一端にキャップ部材４６ｃを取り付けることにより、開口部４６の左右方向の開放された一端を塞ぐ。これにより、突出部材３０を１つの部材で構成した場合にも、突出部材３０を簡単に開口部４６に取り付けることができる。なお、突出部材３０を１つの部材で構成した場合の取付構造及び取付方法は、上記の構造及び方法に限ることなく、突出部材３０を適切に開口部４６に取り付け可能な任意の構造及び方法でよい。
【００７０】
図１１（ａ）及び図１１（ｂ）は、実施形態に係る浴室ユニットの第１エプロンの変形例を模式的に表す断面図である。  
図１１（ａ）は、図８（ａ）及び図８（ｂ）などに表した部分と同じ部分を模式的に表している。図１１（ｂ）は、図１１（ａ）のＤ１−Ｄ２線断面を模式的に表している。  
図１１（ａ）及び図１１（ｂ）に表したように、この例では、突出部材３０が、突出部３２の上部に設けられた軸部３８を有し、軸部３８を介して前後方向を軸に回転可能に第１エプロン２１の下端部２１ａ（底面部４０）に取り付けられている。この例では、突出部材３０が、前後方向を軸に回転することにより、突出部３２の下部３２ｂの位置を前後方向を軸とする回転方向に変更可能としている。
【００７１】
突出部材３０を回転可能に軸支した場合にも、上記実施形態と同様に、洗い場床１４をスポンジなどで掃除する際に、突出部材３０の突出部３２の下部３２ｂの位置を変更することにより、変更前の突出部３２の下部３２ｂの下方にあった洗い場床１４を掃除し易くすることができる。従って、第１エプロン２１の下端部２１ａに下方に突出する突出部材３０を設けた場合にも、突出部材３０の下方の洗い場床１４を掃除し易くすることができる。
【００７２】
このように、突出部材３０の移動は、スライドによる移動に限ることなく、回転による移動でもよいし、これらの組み合わせなどでもよい。また、突出部材３０の移動方向は、左右方向に限ることなく、手指の挟み込みを抑制でき、かつ洗い場床１４の清掃性を向上できる任意の方向でよい。
【００７３】
但し、突出部材３０の移動方向は、上下方向（垂直方向）と直交する水平方向であることが好ましい。これにより、突出部３２の下部３２ｂの高さが大きく変化することがないため、突出部３２の下部３２ｂの位置を変更可能とした場合にも、第１エプロン２１の落下時に、第１エプロン２１と洗い場床１４との間に手指を挟んでしまうことを、突出部材３０によって、より確実に抑制することができる。
【００７４】
また、突出部材３０の移動方向は、水平方向のうち、前後方向及び上下方向と直交する左右方向であることが、より好ましい。これにより、前述のように、突出部３２の下部３２ｂの高さが大きく変化することがないため、突出部３２の下部３２ｂの位置を変更可能とした場合にも、第１エプロン２１の落下時に、第１エプロン２１と洗い場床１４との間に手指を挟んでしまうことを、突出部材３０によって、より確実に抑制することができる。また、移動方向を左右方向とすることにより、開口部４６を比較的長めにすることができるため、突出部材３０をより大きく移動させることができ、より清掃性を高めることができる。突出部材３０の水平方向の移動は、左右方向に限ることなく、前後方向など、上下方向と直交する任意の方向でよい。
【００７５】
図１２（ａ）〜図１２（ｃ）は、実施形態に係る浴室ユニットの第１エプロンの変形例を模式的に表す断面図である。  
図１２（ａ）〜図１２（ｃ）に表したように、これらの例では、突出部材３０が、第１エプロン２１の下端部２１ａに設けられた固定部３３を有し、突出部３２を固定部３３に対して移動可能とすることにより、突出部３２の下部３２ｂの位置を所定方向に変更可能としている。このように、突出部材３０においては、必ずしもその全体が移動する必要はなく、突出部材３０の少なくとも一部が所定方向に移動可能に構成されていればよい。この場合にも、上記各実施形態と同様に、手指の挟み込みを抑制しつつ、洗い場床１４の清掃性を向上させることができる。
【００７６】
図１２（ａ）及び図１２（ｂ）では、突出部３２が、固定部３３に対して回転可能に取り付けられている。この場合、突出部３２は、水平方向に移動するとともに、上下方向にも移動する。また、この際、図１２（ｂ）に表したように、突出部３２及び固定部３３に磁石３２ｍ、３３ｍを設け、各磁石３２ｍ、３３ｍの引力により、突出部３２の下部３２ｂが、下方を向いた状態（手指の挟み込みを抑制可能な状態）で保持できるようにしてもよい。
【００７７】
図１２（ｃ）では、筒状に形成された固定部３３が、突出部３２を上下方向に移動可能に保持している。突出部３２は、一部を固定部３３よりも下方に突出させた突出位置（図１２（ｃ）に示した位置）と、突出位置よりも上方に移動し、突出位置よりも固定部３３内に退避した退避位置と、の間で移動する。また、固定部３３には、突出部３２の被係合部と係合する係合部が設けられ、これらの係合により、突出部３２の固定部３３からの抜けを抑制し、突出部３２を突出位置に保持可能とする。また、突出部材３０は、固定部３３内に設けられたバネ３３ｓを有し、バネ３３ｓの付勢によって突出部３２を突出位置に保持する。
【００７８】
このように、突出部３２（突出部材３０の一部）の移動方向は、上下方向でもよい。バネ３３ｓのバネ定数は、例えば、第１エプロン２１の落下時にも、退避位置側に移動し辛く、かつ、清掃時に使用者が強く押せば退避位置に移動し、下部３２ｂの位置を変更できる程度に設定されることが好ましい。これにより、突出部３２の移動方向を上下方向とした場合にも、手指の挟み込みを抑制しつつ、洗い場床１４の清掃性を向上させることができる。
【００７９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８０】
１０ 浴室ユニット、  １２ 浴槽、  １４ 洗い場床、  ２１ 第１エプロン、  ２２ 第２エプロン、  ３０ 突出部材、  ３２ 突出部、  ３４ 取付部、  ３６ 係合溝、  ３８ 軸部、  ４０ 底面部、  ４２ 係合部、  ４４ 突起部、  ４６ 開口部、  ４８ 絞り部
【図１】
2018161262.tif 000003
【図２】
2018161262.tif 000004
【図３】
2018161262.tif 000005
【図４】
2018161262.tif 000006
【図５】
2018161262.tif 000007
【図６】
2018161262.tif 000008
【図７】
2018161262.tif 000009
【図８】
2018161262.tif 000010
【図９】
2018161262.tif 000011
【図１０】
2018161262.tif 000012
【図１１】
2018161262.tif 000013
【図１２】
2018161262.tif 000014
【図１３】
2018161262.tif 000015